【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
画像データを処理するコントローラ部と、
記録材に画像を形成する形成手段と、
前記形成手段により形成された未定着の画像を定着する定着手段と、
前記コントローラ部から画像形成動作の指示を受信する前に第１の準備動作における前記定着手段の温度制御を実行し、前記コントローラ部から前記画像形成動作の指示を受信すると前記画像形成動作に応じた印刷モードで第２の準備動作における前記定着手段の温度制御を実行し、前記第２の準備動作が完了すると前記形成手段により記録材に画像形成を行う制御手段と、
を備える画像形成装置であって、
記録材を積載する複数の積載部と、
前記複数の積載部の各々に対して印刷モードを設定する設定手段と、
を備え、
前記制御手段は、前記設定手段により前記複数の積載部の各々に対して設定された印刷モードに基づいて、前記第１の準備動作における前記定着手段の目標温度を決定することを特徴とする画像形成装置。
【請求項２】
前記制御手段は、前記設定手段により前記複数の積載部の各々に対して設定された印刷モードの中で、前記定着手段の目標温度が最も高い印刷モードを前記第１の準備動作を実行する際の印刷モードに決定することを特徴とする請求項１に記載の画像形成装置。
【請求項３】
前記積載部の用紙の有無を検知する第１の検知手段を備え、
前記制御手段は、前記第１の検知手段により記録材無しを検知した積載部を、前記第１の準備動作を実行する際の印刷モードを決定する際の対象から除外することを特徴とする請求項２に記載の画像形成装置。
【請求項４】
前記制御手段は、前記複数の積載部の使用状況に応じて、前記第１の準備動作を実行する際の印刷モードを決定することを特徴とする請求項３に記載の画像形成装置。
【請求項５】
前記制御手段は、使用頻度が所定の使用頻度に達していない積載部を、前記第１の準備動作を実行する際の印刷モードを決定する際の対象から除外することを特徴とする請求項４に記載の画像形成装置。
【請求項６】
前記制御手段は、前記複数の積載部の使用頻度の総数が所定数に達していない場合には、全ての積載部を対象として前記第１の準備動作を実行する際の印刷モードを決定することを特徴とする請求項５に記載の画像形成装置。
【請求項７】
前記コントローラ部は、前記画像形成動作の指示とともに、又は、前記画像形成動作の指示に先だって、前記画像形成動作における印刷モードを前記設定手段に通知し、
前記設定手段は、前記コントローラ部から通知された印刷モードに基づいて、前記複数の積載部の各々に対して印刷モードを設定することを特徴とする請求項１から請求項６のいずれか１項に記載の画像形成装置。
【請求項８】
前記画像形成動作を指示する操作部を備え、
前記設定手段は、前記操作部から指示された印刷モードに基づいて、前記複数の積載部の各々に対して印刷モードを設定することを特徴とする請求項１から請求項６のいずれか１項に記載の画像形成装置。
【請求項９】
前記積載部から搬送された記録材の種類を検知する第２の検知手段を備え、
前記設定手段は、前記第２の検知手段により検知された記録材の種類に基づいて、前記複数の積載部の各々に対して印刷モードを設定することを特徴とする請求項１から請求項６のいずれか１項に記載の画像形成装置。
【請求項１０】
前記制御手段は、前記複数の積載部に収納されている用紙に設定されている前記定着手段の目標温度の中で最も高い目標温度と、前記複数の積載部に収納されている用紙に設定されている前記定着手段の目標温度の中で最も低い目標温度と、に基づき、前記第１の準備動作を実行する際の前記定着手段の目標温度を決定することを特徴とする請求項１に記載の画像形成装置。
【請求項１１】
前記制御手段は、前記第１の準備動作における前記定着手段の目標温度を、前記最も高い目標温度と前記最も低い目標温度との間の温度に決定することを特徴とする請求項１０に記載の画像形成装置。
【請求項１２】
前記画像形成装置内の温度を検知する第３の検知手段と、
前記定着手段の温度を予測する予測手段と、
を備え、
前記制御手段は、前記第３の検知手段により検知された温度と、前記予測手段により予測された温度と、に基づいて、前記第１の準備動作における前記定着手段の目標温度を決定することを特徴とする請求項１０に記載の画像形成装置。
【請求項１３】
前記定着手段は、ヒータを有する定着ローラと、前記定着ローラとともにニップ部を形成し前記ニップ部において記録材を搬送する加圧ローラと、を有し、
前記予測手段は、記録材が前記ニップ部を搬送されている期間においては、時間の経過とともに前記加圧ローラの温度が前記定着手段の目標温度に収束するように前記加圧ローラの温度を予測し、記録材が前記ニップ部を搬送されていない期間においては、時間の経過とともに前記加圧ローラの温度が前記第３の検知手段により検知された温度に収束するように前記加圧ローラの温度を予測することを特徴とする請求項１２に記載の画像形成装置。
【請求項１４】
前記制御手段は、前記予測手段により予測された前記加圧ローラの温度と、前記第３の検知手段により検知された温度とに基づいて、所定の時間内に昇温することが可能な昇温量と、前記所定の時間内に降温することが可能な降温量と、を求め、前記昇温量と前記降温量に基づき、記録材の種類に対応する温度の範囲を求めることを特徴とする請求項１３に記載の画像形成装置。
【請求項１５】
前記コントローラ部は、ファーストコピーアウトタイムを優先させて画像形成動作を行う印刷モードを順位付けした情報を前記制御手段に通知し、
前記制御手段は、前記順位付けした情報と、前記複数の積載部に積載された記録材の各々に対して求めた前記温度の範囲とに基づいて、前記第１の準備動作における前記定着手段の目標温度を決定することを特徴とする請求項１４に記載の画像形成装置。
【請求項１６】
前記設定手段は、前記コントローラ部であり、
前記コントローラ部は、前記画像形成動作の指示とともに、又は、前記画像形成動作の指示に先だって、前記複数の積載部の各々に対して記録材に関する情報を設定することを特徴とする請求項１０から請求項１５のいずれか１項に記載の画像形成装置。
【請求項１７】
前記画像形成動作を指示する操作部を備え、
前記設定手段は、前記操作部から指示された情報に基づいて、前記複数の積載部の各々に対して記録材に関する情報を設定することを特徴とする請求項１０から請求項１５のいずれか１項に記載の画像形成装置。
【請求項１８】
前記積載部から搬送された記録材の種類を検知する第２の検知手段を備え、
前記設定手段は、前記第２の検知手段により検知された記録材の種類に基づいて、前記複数の積載部の各々に対して記録材に関する情報を設定することを特徴とする請求項１０から請求項１５のいずれか１項に記載の画像形成装置。
【請求項１９】
記録材に画像を形成する形成手段と、
前記形成手段により形成された未定着の画像を定着する定着手段と、
画像形成条件が確定する前に第１の準備動作における前記定着手段の温度制御を実行し、前記画像形成条件が確定すると前記画像形成条件に応じた第２の準備動作における前記定着手段の温度制御を実行し、前記第２の準備動作が完了すると前記形成手段により記録材に画像形成を行う制御手段と、
を備える画像形成装置であって、
記録材を積載する複数の積載部と、
前記複数の積載部の各々に対して印刷モードを設定する設定手段と、
を備え、
前記制御手段は、前記設定手段により前記複数の積載部の各々に対して設定された印刷モードに基づいて、前記第１の準備動作における前記定着手段の目標温度を決定することを特徴とする画像形成装置。
【請求項２０】
前記印刷モードは、前記積載部に積載された記録材の紙種、又は記録材のサイズの情報に基づいて決定されることを特徴とする請求項１から請求項１９のいずれか１項に記載の画像形成装置。
【手続補正２】
【補正対象書類名】明細書
【補正対象項目名】０００８
【補正方法】変更
【補正の内容】
【０００８】
（１）画像データを処理するコントローラ部と、記録材に画像を形成する形成手段と、前記形成手段により形成された未定着の画像を定着する定着手段と、前記コントローラ部から画像形成動作の指示を受信する前に第１の準備動作における前記定着手段の温度制御を実行し、前記コントローラ部から前記画像形成動作の指示を受信すると前記画像形成動作に応じた印刷モードで第２の準備動作における前記定着手段の温度制御を実行し、前記第２の準備動作が完了すると前記形成手段により記録材に画像形成を行う制御手段と、を備える画像形成装置であって、記録材を積載する複数の積載部と、前記複数の積載部の各々に対して印刷モードを設定する設定手段と、を備え、前記制御手段は、前記設定手段により前記複数の積載部の各々に対して設定された印刷モードに基づいて、前記第１の準備動作における前記定着手段の目標温度を決定することを特徴とする画像形成装置。
（２）記録材に画像を形成する形成手段と、前記形成手段により形成された未定着の画像を定着する定着手段と、画像形成条件が確定する前に第１の準備動作における前記定着手段の温度制御を実行し、前記画像形成条件が確定すると前記画像形成条件に応じた第２の準備動作における前記定着手段の温度制御を実行し、前記第２の準備動作が完了すると前記形成手段により記録材に画像形成を行う制御手段と、を備える画像形成装置であって、記録材を積載する複数の積載部と、前記複数の積載部の各々に対して印刷モードを設定する設定手段と、を備え、前記制御手段は、前記設定手段により前記複数の積載部の各々に対して設定された印刷モードに基づいて、前記第１の準備動作における前記定着手段の目標温度を決定することを特徴とする画像形成装置。
【手続補正３】
【補正対象書類名】明細書
【補正対象項目名】０００９
【補正方法】削除
【補正の内容】